(57)【要約】【課題】本発明は、商品についての個体情報を管理する専用のデータベースを用いることなく、さらに、予め定められた規定のコード体系で設計される識別コードの使用を強いることなく、市場を流通する商品についての個体情報を消費者などに提供できるようにする新たな技術の提供を目的とする。【解決手段】ユニークであることが保証されるコード体系毎に、そのコード体系により記述されるコードとそのコードの指す商品個体情報の入手を可能にするためのコマンドとの対応関係を管理する情報交換サーバを用意する。端末装置は、商品に付与されたそのコード体系のコードを入力し、情報交換サーバに対してそのコードに対応付けられるコマンドの提供を要求することでコマンドを取得する。そして、その取得したコマンドに従って、個体情報公開サーバ群の中の該当するものから商品の個体情報を取得する。【選択図】図４
2006133832.tif 000002
【特許請求の範囲】
【請求項１】
市場を流通する商品についての個体情報を入手可能とする流通管理システムで用いられる端末装置で実行される商品個体情報入手方法であって、
商品に付与されて、ユニークであることが保証されるコード体系により記述されるコードを入力する過程と、
上記コード体系毎に、上記コード体系により記述されるコードとそのコードの指す商品個体情報の入手を可能にするためのコマンドとの対応関係を管理する情報交換サーバに接続して、上記入力したコードに対応付けられるコマンドを取得する過程と、
上記取得したコマンドに従って、上記入力したコードの付与先である商品についての個体情報を公開する個体情報公開サーバに接続して、その商品についての個体情報を入手する過程とを備えることを、
特徴とする商品個体情報入手方法。
【請求項２】
市場を流通する商品についての個体情報を入手可能とする流通管理システムで用いられる端末装置で実行される商品個体情報入手方法であって、
商品に付与されて、ある狭い範囲でしかユニークであることが保証されないローカルコードを入力する過程と、
上記ローカルコードとそれよりも広い範囲でユニークであることが保証されるコード体系により記述されるグローバルコードとの対応関係を管理するローカル情報交換サーバに接続して、上記入力したローカルコードに対応付けられるグローバルコードを取得する過程と、
上記グローバルコードのコード体系毎に、上記グローバルコードとそのグローバルコードの指す商品個体情報の入手を可能にするためのコマンドとの対応関係を管理する情報交換サーバに接続して、上記取得したグローバルコードに対応付けられるコマンドを取得する過程と、
上記取得したコマンドに従って、上記入力したローカルコードの付与先である商品についての個体情報を公開する個体情報公開サーバに接続して、その商品についての個体情報を入手する過程とを備えることを、
特徴とする商品個体情報入手方法。
【請求項３】
市場を流通する商品についての個体情報を入手可能とする流通管理システムで用いられる端末装置で実行される商品個体情報入手方法であって、
商品に付与されて、ある狭い範囲でしかユニークであることが保証されないローカルコードを入力する過程と、
上記ローカルコードとそれよりも広い範囲でユニークであることが保証されるコード体系により記述されるグローバルコードとの対応関係を管理して、指定されるローカルコードに対応付けられるグローバルコードを特定し、それに続いて、グローバルコード体系毎に、グローバルコード体系により記述されるコードとそのグローバルコードの指す商品個体情報の入手を可能にするためのコマンドとの対応関係を管理する情報交換サーバに接続して、その特定したグローバルコードに対応付けられるコマンドを取得するという処理を行うローカル情報交換サーバに接続して、上記入力したローカルコードに対応付けられるコマンドを取得する過程と、
上記取得したコマンドに従って、上記入力したローカルコードの付与先である商品についての個体情報を公開する個体情報公開サーバに接続して、その商品についての個体情報を入手する過程とを備えることを、
特徴とする商品個体情報入手方法。
【請求項４】
請求項３に記載の商品個体情報入手方法において、
上記ローカル情報交換サーバは、指定されるローカルコードに対応付けられるグローバルコードを特定できない場合には、その指定されるローカルコードがグローバルコードであることを判断して、上記情報交換サーバに接続して、そのグローバルコードに対応付けられるコマンドを取得するように構成されることを、
特徴とする商品個体情報入手方法。
【請求項５】
請求項１ないし４のいずれか１項に記載の商品個体情報入手方法において、
上記各過程の処理をプログラムにて実現する場合に、上記情報交換サーバからそのプログラムをダウンロードする過程を備えることを、
特徴とする商品個体情報入手方法。
【請求項６】
市場を流通する商品についての個体情報を入手可能とする流通管理システムで用いられる端末装置に実装される商品個体情報入手プログラムであって、
商品に付与されて、ユニークであることが保証されるコード体系により記述されるコードを入力する処理と、
上記コード体系毎に、上記コード体系により記述されるコードとそのコードの指す商品個体情報の入手を可能にするためのコマンドとの対応関係を管理する情報交換サーバに接続して、上記入力したコードに対応付けられるコマンドを取得する処理と、
上記取得したコマンドに従って、上記入力したコードの付与先である商品についての個体情報を公開する個体情報公開サーバに接続して、その商品についての個体情報を入手する処理とをコンピュータに実行させるための商品個体情報入手プログラム。
【請求項７】
市場を流通する商品についての個体情報を入手可能とする流通管理システムで用いられる端末装置に実装される商品個体情報入手プログラムであって、
商品に付与されて、ある狭い範囲でしかユニークであることが保証されないローカルコードを入力する処理と、
上記ローカルコードとそれよりも広い範囲でユニークであることが保証されるコード体系により記述されるグローバルコードとの対応関係を管理するローカル情報交換サーバに接続して、上記入力したローカルコードに対応付けられるグローバルコードを取得する処理と、
上記グローバルコードのコード体系毎に、上記グローバルコードとそのグローバルコードの指す商品個体情報の入手を可能にするためのコマンドとの対応関係を管理する情報交換サーバに接続して、上記取得したグローバルコードに対応付けられるコマンドを取得する処理と、
上記取得したコマンドに従って、上記入力したローカルコードの付与先である商品についての個体情報を公開する個体情報公開サーバに接続して、その商品についての個体情報を入手する処理とをコンピュータに実行させるための商品個体情報入手プログラム。
【請求項８】
市場を流通する商品についての個体情報を入手可能とする流通管理システムで用いられる端末装置に実装される商品個体情報入手プログラムであって、
商品に付与されて、ある狭い範囲でしかユニークであることが保証されないローカルコードを入力する処理と、
上記ローカルコードとそれよりも広い範囲でユニークであることが保証されるコード体系により記述されるグローバルコードとの対応関係を管理して、指定されるローカルコードに対応付けられるグローバルコードを特定し、それに続いて、グローバルコード体系毎に、グローバルコード体系により記述されるコードとそのグローバルコードの指す商品個体情報の入手を可能にするためのコマンドとの対応関係を管理する情報交換サーバに接続して、その特定したグローバルコードに対応付けられるコマンドを取得するという処理を行うローカル情報交換サーバに接続して、上記入力したローカルコードに対応付けられるコマンドを取得する処理と、
上記取得したコマンドに従って、上記入力したローカルコードの付与先である商品についての個体情報を公開する個体情報公開サーバに接続して、その商品についての個体情報を入手する処理とをコンピュータに実行させるための商品個体情報入手プログラム。
【発明の詳細な説明】
【技術分野】
【０００１】
本発明は、市場を流通する商品についての個体情報を入手可能とする流通管理システムで用いられる端末装置で実行される商品個体情報入手方法と、その端末装置に実装されて、その商品個体情報入手方法の実現に用いられる商品個体情報入手プログラムとに関する。
【背景技術】
【０００２】
生鮮食品や加工食品などの流通、販売に対して、消費者などがその食品に関する個体情報（生産地や生産者名などの情報）を知りたいという要求がある。
【０００３】
このような要求に応えるべく、生産者などが農産物に対して、ＩＤ番号と個体情報を入手するためのアクセス先とからなる識別子を付与するとともに、生産者側のコンピュータが中立機関のコンピュータシステムに対して、農産物のＩＤ番号と個体情報とを登録するという構成を採って、消費側のコンピュータが、農産物に付与された識別子におけるＩＤ番号とアクセス先とを入力して、中立機関のコンピュータシステムからそのアクセス先に従った農産物の個体情報の記載されたホームページの情報を受信し、このホームページの情報からそのＩＤ番号に対応した農産物の個体情報を表示するという発明が開示されている（例えば、特許文献１参照）。
【０００４】
この発明に係るシステムは実際にインターネット上で稼働しており、そのシステムでは、農産物に８桁のカタログ番号とＵＲＬとについて記載する商品シールを貼付するという構成を採って、消費者などは、そのＵＲＬの指すシステムにアクセスすることで自コンピュータ上に検索画面を表示して、この検索画面にそのカタログ番号を入力することにより、農産物の個体情報を閲覧できるようになっている（例えば、非特許文献１参照）。
【特許文献１】特許第３３５５３６６号
【非特許文献１】SEICA(青果ネットカタログ)[平成16年10月１日検索],インターネット＜ＵＲＬ：http://seica.info/＞
【発明の開示】
【発明が解決しようとする課題】
【０００５】
確かに、従来技術でも、消費者などは市場を流通する商品についての個体情報を入手できるようになっている。
【０００６】
しかしながら、従来のシステムでは、商品についての個体情報を管理する専用のデータベースを用いなければならないという問題や、予め定められた規定のコード体系で設計された識別コードを用いなければならないという問題がある。
【０００７】
すなわち、従来のシステムでは、商品シールに記載するＵＲＬによりアクセスされることになる商品についての個体情報を管理する専用のデータベースが用意されており、商品についての個体情報を提供する生産者などは、その専用のデータベースに対して、商品についての個体情報を商品のカタログ番号と対応をとりつつ登録しなければならない。
【０００８】
これから、商品についての個体情報を提供する生産者などは、自システムからその専用のデータベースに対して、商品についての大量の個体情報を登録しなければならず、多大な負荷を強いられるという問題がある。
【０００９】
さらに、従来のシステムでは、予め定められた規定のコード体系で設計された識別コードが用いられており、商品についての個体情報を提供する生産者などは、商品に対して、その規定のコード体系で設計された識別コードを付与しなければならないという問題がある。
【００１０】
現在、流通システムでは、商品を識別するためのバーコードとしてＪＩＳで規格されたＪＡＮコードが広く用いられている。このＪＡＮコードは全世界で利用できるコード体系を有しており、これから広く商品に付与されているものである。
【００１１】
このようなことを背景にして、商品についての個体情報を提供するシステムを構築する場合、そのシステムで定められたコード体系で設計された識別コードを用いるのではなくて、商品に付与したＪＡＮコードのような全世界で利用できるコード体系を持つ識別コードから、その商品についての個体情報を入手できるようにするという構成を実現することが望まれている。そうしないと、同一の商品に対して二重に識別コードを付与することになるからである。
【００１２】
しかるに、従来のシステムでは、予め定められた規定のコード体系で設計された識別コードを用いており、このような要請に応えることができないという問題がある。
【００１３】
しかも、スーパーなどの店舗では、通常の場合、１つの箱の中に多数の同一商品が梱包されている商品を入荷し、その梱包を解いて個々の商品を取り出して店頭に並べるときに、レジを通すために、それらの個々の商品に対して、例えばＪＡＮコードを短縮したコードを付与するというように、梱包を解く前の商品に付与される識別コードを短縮した識別コードを付与するようにしている。
【００１４】
しかるに、従来のシステムでは、このようなスーパーなどの店舗で独自に用いている識別コードについては全く対処できないという問題がある。
【００１５】
本発明はかかる事情に鑑みてなされたものであって、商品についての個体情報を管理する専用のデータベースを用いることなく、さらに、予め定められた規定のコード体系で設計された識別コードの使用を強いることなく、市場を流通する商品についての個体情報を消費者などに提供できるようにする新たな技術の提供を目的とする。
【課題を解決するための手段】
【００１６】
〔１〕第１の発明
上記の目的を達成するために、本発明を実現する流通管理システムは、（イ）端末装置と、（ロ）ユニークであることが保証されるコード体系毎に、そのコード体系により記述されるコードとそのコードの指す商品個体情報の入手を可能にするためのコマンドとの対応関係を管理する情報交換サーバと、（ハ）商品についての個体情報を公開する個体情報公開サーバ群（これらの個体情報公開サーバについては生産者などが構築するものをそのまま利用できる）とを備える。
【００１７】
この端末装置は、本発明を実現するために、（ａ）商品に付与されて、ユニークであることが保証されるコード体系により記述されるコードを入力する入力手段と、（ｂ）情報交換サーバに接続して、入力手段の入力したコードに対応付けられるコマンドを取得する取得手段と、（ｃ）取得手段の取得したコマンドに従って、入力手段の入力したコードの付与先である商品についての個体情報を公開する個体情報公開サーバに接続して、その商品についての個体情報を入手する入手手段とを備える。
【００１８】
この構成を採るときにあって、端末装置は、これらの各処理手段を実現するプログラムを情報交換サーバからダウンロードするダウンロード手段を備えることがある。
【００１９】
ここで、端末装置の備える各処理手段はコンピュータプログラムでも実現できるものであり、このコンピュータプログラムは、適当なコンピュータ読み取り可能な記録媒体に記録して提供されたり、ネットワークを介して提供され、本発明を実施する際にインストールされてＣＰＵなどの制御手段上で動作することにより本発明を実現することになる。
【００２０】
このように構成される本発明では、端末装置は、商品に付与されて、ユニークであることが保証されるコード体系により記述されるコードを入力して（コードリーダにより読み取ることで入力したり、ユーザからの入力を受け付けることで入力する）、その入力したコードを指定して、情報交換サーバに対してコマンドの提供を要求する。
【００２１】
これを受けて、情報交換サーバは、その指定されるコードのコード体系を判別して（端末装置が判別して通知することもある）、それに基づいて、その指定されるコードに対応付けられるコマンドを取得して端末装置に提供する。
【００２２】
これを受けて、端末装置は、情報交換サーバから提供されるコマンドに従って、個体情報公開サーバ群の中の該当するものに対して、入力したコードの付与先である商品についての個体情報の提供を要求し、これを受けて、その該当する個体情報公開サーバは、その提供要求の個体情報を取得して端末装置に提供する。
【００２３】
このようにして、本発明では、コードとそのコードの指す商品個体情報の入手を可能にするためのコマンドとの対応関係を管理する情報交換サーバについては用意する必要があるものの、商品についての個体情報を管理する専用のデータベースについては用意する必要はないので、商品についての個体情報を提供する生産者などは、商品についての大量の個体情報を自システムとは別のデータベースに登録するようなことを要求されることなく、商品についての個体情報を消費者などに提供できるようになる。
【００２４】
さらに、本発明では、コードとそのコードの指す商品個体情報の入手を可能にするためのコマンドとの対応関係を管理する情報交換サーバを用意する際に、その情報交換サーバがコード体系毎に対応関係を管理するという構成を採ることで、そのコードとして、商品に付与されているＪＡＮコードのような一般的なものを用いることができるようになるので、商品についての個体情報を提供する生産者などは、予め定められたコード体系で設計されたコードを用いなくても、商品についての個体情報を消費者などに提供できるようになる。
【００２５】
〔２〕第２の発明
また、上記の目的を達成するために、本発明を実現する流通管理システムは、（イ）端末装置と、（ロ）ある狭い範囲でしかユニークであることが保証されないローカルコードとそれよりも広い範囲でユニークであることが保証されるコード体系により記述されるグローバルコードとの対応関係を管理するローカル情報交換サーバと、（ハ）グローバルコードのコード体系毎に、グローバルコードとそのグローバルコードの指す商品個体情報の入手を可能にするためのコマンドとの対応関係を管理する情報交換サーバと、（ニ）商品についての個体情報を公開する個体情報公開サーバ群（これらの個体情報公開サーバについては生産者などが構築するものをそのまま利用できる）とを備える。
【００２６】
この端末装置は、本発明を実現するために、（ａ）商品に付与されて、ある狭い範囲でしかユニークであることが保証されないローカルコードを入力する入力手段と、（ｂ）ローカル情報交換サーバに接続して、入力手段の入力したローカルコードに対応付けられるグローバルコードを取得する第１の取得手段と、（ｃ）情報交換サーバに接続して、第１の取得手段の取得したグローバルコードに対応付けられるコマンドを取得する第２の取得手段と、（ｄ）第２の取得手段の取得したコマンドに従って、入力手段の入力したローカルコードの付与先である商品についての個体情報を公開する個体情報公開サーバに接続して、その商品についての個体情報を入手する入手手段と備える。
【００２７】
この構成を採るときにあって、端末装置は、これらの各処理手段を実現するプログラムを情報交換サーバからダウンロードするダウンロード手段を備えることがある。
【００２８】
ここで、端末装置の備える各処理手段はコンピュータプログラムでも実現できるものであり、このコンピュータプログラムは、適当なコンピュータ読み取り可能な記録媒体に記録して提供されたり、ネットワークを介して提供され、本発明を実施する際にインストールされてＣＰＵなどの制御手段上で動作することにより本発明を実現することになる。
【００２９】
このように構成される本発明では、端末装置は、商品に付与されるローカルコードを入力して（コードリーダにより読み取ることで入力したり、ユーザからの入力を受け付けることで入力する）、その入力したローカルコードを指定して、ローカル情報交換サーバに対してグローバルコードの提供を要求する。
【００３０】
これを受けて、ローカル情報交換サーバは、その指定されるローカルコードに対応付けられるグローバルコードを取得して端末装置に提供する。
【００３１】
これを受けて、端末装置は、その提供されるグローバルコードを指定して、情報交換サーバに対してコマンドの提供を要求する。
【００３２】
これを受けて、情報交換サーバは、その指定されるグローバルコードのコード体系を判別して（端末装置が判別して通知することもある）、それに基づいて、その指定されるグローバルコードに対応付けられるコマンドを取得して端末装置に提供する。
【００３３】
これを受けて、端末装置は、情報交換サーバから提供されるコマンドに従って、個体情報公開サーバ群の中の該当するものに対して、入力したコードの付与先である商品についての個体情報の提供を要求し、これを受けて、その該当する個体情報公開サーバは、その提供要求の個体情報を取得して端末装置に提供する。
【００３４】
このようにして、本発明では、ローカルコードとグローバルコードとの対応関係を管理するローカル情報交換サーバと、グローバルコードとそのグローバルコードの指す商品個体情報の入手を可能にするためのコマンドとの対応関係を管理する情報交換サーバとについては用意する必要があるものの、商品についての個体情報を管理する専用のデータベースについては用意する必要はないので、商品についての個体情報を提供する生産者などは、商品についての大量の個体情報を自システムとは別のデータベースに登録するようなことを要求されることなく、商品についての個体情報を消費者などに提供できるようになる。
【００３５】
さらに、本発明では、グローバルコードとそのグローバルコードの指す商品個体情報の入手を可能にするためのコマンドとの対応関係を管理する情報交換サーバを用意する際に、その情報交換サーバがグローバルコードのコード体系毎に対応関係を管理するという構成を採ることで、そのグローバルコードとして、商品に付与されているＪＡＮコードのような一般的なものを用いることができるようになるので、商品についての個体情報を提供する生産者などは、予め定められたコード体系で設計されたコードを用いなくても、商品についての個体情報を消費者などに提供できるようになる。
【００３６】
さらに、本発明では、ローカルコードとグローバルコードとの対応関係を管理するローカル情報交換サーバを用意するので、商品に付与された適当なコードを用いて商品についての個体情報を提供できるようになり、現状のコードを変えることなく、商品についての個体情報を消費者などに提供できるようになる。
【００３７】
〔３〕第３の発明
また、上記の目的を達成するために、本発明を実現する流通管理システムは、（イ）端末装置と、（ロ）ある狭い範囲でしかユニークであることが保証されないローカルコードとそれよりも広い範囲でユニークであることが保証されるコード体系により記述されるグローバルコードとの対応関係を管理するローカル情報交換サーバと、（ハ）グローバルコードのコード体系毎に、グローバルコードとそのグローバルコードの指す商品個体情報の入手を可能にするためのコマンドとの対応関係を管理する情報交換サーバと、（ニ）商品についての個体情報を公開する個体情報公開サーバ群（これらの個体情報公開サーバについては生産者などが構築するものをそのまま利用できる）とを備える。
【００３８】
ここで、ローカル情報交換サーバは、端末装置からローカルコードを指定してコマンドの提供要求があると、先ず最初に、指定されるローカルコードに対応付けられるグローバルコードを特定し（グローバルコードを特定できない場合には、その指定されるローカルコードがグローバルコードであると判断する）、続いて、情報交換サーバに接続して、その特定したグローバルコードに対応付けられるコマンドを取得して、それを端末装置に提供するという処理を行う。
【００３９】
この端末装置は、本発明を実現するために、（ａ）商品に付与されて、ある狭い範囲でしかユニークであることが保証されないローカルコードを入力する入力手段と、（ｂ）ローカル情報交換サーバに接続して、入力手段の入力したローカルコードに対応付けられるコマンドを取得する取得手段と、（ｃ）取得手段の取得したコマンドに従って、入力手段の入力したローカルコードの付与先である商品についての個体情報を公開する個体情報公開サーバに接続して、その商品についての個体情報を入手する入手手段と備える。
【００４０】
この構成を採るときにあって、端末装置は、これらの各処理手段を実現するプログラムを情報交換サーバからダウンロードするダウンロード手段を備えることがある。
【００４１】
ここで、端末装置の備える各処理手段はコンピュータプログラムでも実現できるものであり、このコンピュータプログラムは、適当なコンピュータ読み取り可能な記録媒体に記録して提供されたり、ネットワークを介して提供され、本発明を実施する際にインストールされてＣＰＵなどの制御手段上で動作することにより本発明を実現することになる。
【００４２】
このように構成される本発明では、端末装置は、商品に付与されるローカルコードを入力して（コードリーダにより読み取ることで入力したり、ユーザからの入力を受け付けることで入力する）、その入力したローカルコードを指定して、ローカル情報交換サーバに対してコマンドの提供を要求する。
【００４３】
これを受けて、ローカル情報交換サーバは、先ず最初に、指定されるローカルコードに対応付けられるグローバルコードを特定し、続いて、情報交換サーバに接続して、その特定したグローバルコードに対応付けられるコマンドを取得して、それを端末装置に提供する。
【００４４】
これを受けて、端末装置は、ローカル情報交換サーバから提供されるコマンドに従って、個体情報公開サーバ群の中の該当するものに対して、入力したコードの付与先である商品についての個体情報の提供を要求し、これを受けて、その該当する個体情報公開サーバは、その提供要求の個体情報を取得して端末装置に提供する。
【００４５】
このようにして、本発明では、ローカルコードとグローバルコードとの対応関係を管理するローカル情報交換サーバと、グローバルコードとそのグローバルコードの指す商品個体情報の入手を可能にするためのコマンドとの対応関係を管理する情報交換サーバとについては用意する必要があるものの、商品についての個体情報を管理する専用のデータベースについては用意する必要はないので、商品についての個体情報を提供する生産者などは、商品についての大量の個体情報を自システムとは別のデータベースに登録するようなことを要求されることなく、商品についての個体情報を消費者などに提供できるようになる。
【００４６】
さらに、本発明では、グローバルコードとそのグローバルコードの指す商品個体情報の入手を可能にするためのコマンドとの対応関係を管理する情報交換サーバを用意する際に、その情報交換サーバがグローバルコードのコード体系毎に対応関係を管理するという構成を採ることで、そのグローバルコードとして、商品に付与されているＪＡＮコードのような一般的なものを用いることができるようになるので、商品についての個体情報を提供する生産者などは、予め定められたコード体系で設計されたコードを用いなくても、商品についての個体情報を消費者などに提供できるようになる。
【００４７】
さらに、本発明では、ローカルコードとグローバルコードとの対応関係を管理するローカル情報交換サーバを用意するので、商品に付与された適当なコードを用いて商品についての個体情報を提供できるようになり、現状のコードを変えることなく、商品についての個体情報を消費者などに提供できるようになる。
【発明の効果】
【００４８】
以上説明したように、本発明によれば、商品についての個体情報を管理する専用のデータベースを用いることなく、さらに、予め定めた規定のコード体系で設計された識別コードの使用を強いることなく、市場を流通する商品についての個体情報を消費者などに提供できるようになる。
【００４９】
そして、本発明によれば、商品に付与された適当なコードを用いて商品についての個体情報を提供できるようになり、現状のコードを変えることなく、商品についての個体情報を消費者などに提供できるようになる。
【発明を実施するための最良の形態】
【００５０】
以下、実施の形態に従って本発明を詳細に説明する。
【００５１】
〔１〕第１の実施の形態
図１に、本発明を具備する流通管理システムの一実施形態例を図示する。
【００５２】
この図に示すように、本発明を具備する流通管理システムは、市場を流通する商品１００についての個体情報を消費者や販売者などに提供する処理を行うものであって、複数の個体情報公開サーバ１と複数の店頭端末２ａと複数の家庭端末２ｂと情報交換サーバ３とがインターネット４を介して接続されるもので構成される。
【００５３】
ここで、市場を流通する商品１００には、ＪＡＮコードやＵコードなどのように全世界で利用できるコード体系で記述された識別コード１０１が付与されたり、牛肉個体識別コードなどのようにその業界で利用できるコード体系で記述された識別コード１０１が付与されている。
【００５４】
これらの個体情報公開サーバ１は、商品１００の生産者などに対応付けて設けられ、その生産者などの取り扱う商品１００についての個体情報を管理する個体情報用データベース１０を有して、この個体情報用データベース１０を使って、その生産者などの取り扱う商品１００についての個体情報（生産地や生産者名などの情報）を公開する。
【００５５】
店頭端末２ａは、店頭に設置され、商品１００に付与される識別コード１０１を読み取るコードリーダ２０を備え（コードリーダ２０を備えないこともある）、商品１００の消費者や販売者などの要求に応答して、商品１００についての個体情報を消費者や販売者などに提供する処理を行う。
【００５６】
家庭端末２ｂは、家庭内に設置され、商品１００の消費者の要求に応答して、商品１００についての個体情報を消費者に提供する処理を行う。なお、家庭端末２ｂは、商品１００に付与される識別コード１０１を読み取るコードリーダを備えることもある。
【００５７】
情報交換サーバ３は、交換データ用データベース３０を備えて、この交換データ用データベース３０を使って、図２に示すように、識別コード１０１のコード体系毎に、識別コード１０１とその識別コード１０１の指す商品個体情報の入手を可能にするためのコマンドとの対応関係を管理する。このコマンドとしては、例えば、入手先となる個体情報公開サーバ１のＵＲＬとその入手先での検索に必要となる情報との組データで構成されるものが用いられる。
【００５８】
情報交換サーバ３の管理する対応関係データについては個体情報公開サーバ１を運用する生産者などが登録するものであり、情報交換サーバ３の備える図示しない登録プログラムは、個体情報公開サーバ１を運用する生産者などから対応関係データの登録要求があると、図３の処理フローに示すように、商品１００に付与される識別コード１０１と、その識別コード１０１のコード体系の種別情報と、その識別コード１０１の付与先となる商品１００についての個体情報の入手を可能にするためのコマンドとを受け取って、その受け取ったコード体系の指す交換データ用データベース３０のエントリーに、その受け取った識別コード１０１とその受け取ったコマンドとの対応関係を登録するように処理するようになる。
【００５９】
次に、図４に示すタイムチャートに従って、このように構成される流通管理システムで実行される本発明の処理について詳細に説明する。
【００６０】
店頭端末２ａを操作する消費者などは、手元にある商品１００についての個体情報を入手したいと思うときには、店頭端末２ａに対して、商品１００に付与される識別コード１０１の読み取りを指示し、この指示を受けて、店頭端末２ａは、コードリーダ２０を使って、その商品１００に付与される識別コード１０１を読み取ることで、その商品１００に付与される識別コード１０１を入力する（図中に示す（１))。
【００６１】
また、家庭端末２ｂを操作する消費者は、手元にある商品１００についての個体情報を入手したいと思うときには、家庭端末２ｂに対して、商品１００に付与される識別コード１０１をキー入力し、このキー入力を受けて、家庭端末２ｂは、そのキー入力を受け付けることで、その商品１００に付与される識別コード１０１を入力する（図中に示す（１))。
【００６２】
ここで、この識別コード１０１の入力に必要となるプログラムや、これから説明する処理を実行するために必要となるプログラムについては、情報交換サーバ３に用意しておいて、そこから店頭端末２ａや家庭端末２ｂにダウンロードするようにするという構成を採ることが可能であり、このような構成を採ると、店頭端末２ａや家庭端末２ｂは本発明の実現に必要となるプログラムを予め用意しておく必要がなくなる。
【００６３】
店頭端末２ａや家庭端末２ｂは、商品１００に付与される識別コード１０１を入力すると、続いて、その識別コード１０１のコード体系を判別する（図中に示す（２))。
【００６４】
すなわち、商品１００に付与される識別コード１０１がＪＡＮコードにより記述されるコードであるとか、Ｕコードにより記述されるコードであるというように、そのコード体系を判別するのである。この判別処理については、識別コード１０１のコードの長さを判断することにより実行されたり、識別コード１０１のヘッダ情報を判断することなどにより実行されることになる。
【００６５】
店頭端末２ａや家庭端末２ｂは、入力した識別コード１０１のコード体系を判別すると、続いて、その入力した識別コード１０１とその判別したコード体系とを指定して、情報交換サーバ３に対して、コマンドの提供を要求する（図中に示す（３))。
【００６６】
このコマンドの提供要求を受けて、情報交換サーバ３は、図２に示すようなデータ構造を持つ交換データ用データベース３０を検索することで、指定されるコード体系に属する識別コードの中から指定される識別コード１０１を検索し、それに対応付けられるコマンドを取得して店頭端末２ａや家庭端末２ｂに提供する（図中に示す（４))。
【００６７】
これから、店頭端末２ａや家庭端末２ｂは、情報交換サーバ３から、このコマンドを受け取ることで、入力した識別コード１０１に対応付けられるコマンドを受け取る。
【００６８】
店頭端末２ａや家庭端末２ｂは、入力した識別コード１０１に対応付けられるコマンドを受け取ると、続いて、そのコマンドの指定するＵＲＬを持つ個体情報公開サーバ１に対して、そのコマンドを送信することで、その識別コード１０１の付与される商品１００についての個体情報の提供を要求する（図中に示す（５))。
【００６９】
この個体情報の提供要求を受けて、その個体情報を管理する個体情報公開サーバ１は、自サーバの備える個体情報用データベース１０を検索することで、送信されてきたコマンドの指定する個体情報を検索して、それを店頭端末２ａや家庭端末２ｂに提供する（図中に示す（６))。
【００７０】
これから、店頭端末２ａや家庭端末２ｂは、個体情報公開サーバ１から、この個体情報を受け取ることで、入力した識別コード１０１の付与される商品１００についての個体情報を受け取り、それを消費者などに提供する。
【００７１】
ここで、図４に示すタイムチャートでは、店頭端末２ａや家庭端末２ｂの側で、商品１００に付与される識別コード１０１のコード体系の判別を行うようにするという構成を採ったが、図５に示すタイムチャートのように、情報交換サーバ３の側で、この判別を行うようにするという構成を採ってもよい。
【００７２】
このようにして、本発明では、識別コード１０１とその識別コード１０１の指す商品個体情報の入手を可能にするためのコマンドとの対応関係を管理する情報交換サーバ３については用意する必要があるものの、商品１００についての個体情報を管理する専用のデータベースについては用意する必要はないので、商品１００についての個体情報を提供する生産者などは、商品１００についての大量の個体情報を自システムとは別のデータベースに登録するようなことを要求されることなく、商品１００についての個体情報を消費者などに提供できるようになる。
【００７３】
さらに、本発明では、識別コード１０１とその識別コード１０１の指す商品個体情報の入手を可能にするためのコマンドとの対応関係を管理する情報交換サーバ３を用意する際に、その情報交換サーバ３がコード体系毎に対応関係を管理するという構成を採ることで、その識別コード１０１として、商品に付与されているＪＡＮコードのような一般的なものを用いることができるようになるので、商品についての個体情報を提供する生産者などは、予め定められたコード体系で設計されたコードを用いなくても、商品１００についての個体情報を消費者などに提供できるようになる。
【００７４】
〔２〕第２の実施の形態
商品１００に付与される識別コード１０１として、ＪＡＮコードやＵコードなどのように全世界で利用できるコード体系で記述されるものが用いられている場合、そのコード長が長いものとなる。
【００７５】
これから、スーパーなどの店舗では、通常の場合、１つの箱の中に多数の同一商品が梱包されている商品１００（その商品１００にはＪＡＮコードなどで記述される識別コード１０１が付与されている）を入荷し、その梱包を解いて個々の商品を取り出して店頭に並べるときに、レジを通すために、それらの個々の商品に対して、例えばＪＡＮコードを短縮したコードを付与するというように、梱包を解く前の商品１００に付与される識別コード１０１を短縮した識別コード（以下、説明の便宜上、店舗用識別コード１０２と称することにする）を付与するようにしている。
【００７６】
このような店舗用識別コード１０２は、あるスーパーとか、そのスーパーのその店舗でのみユニークであることが保証されるものでしかないが、流通業界では実際に広く使われているものである。
【００７７】
しかるに、図１に示した本発明を具備する流通管理システムでは、このような店舗用識別コード１０２が商品１００に付与されている場合には、その商品１００の個体情報を消費者などに提供することができない。
【００７８】
そこで、本発明を具備する流通管理システムでは、このような店舗用識別コード１０２を取り扱う場合には、図６に示すようなシステム構成を採るようにしている。ここで、図中、図１に示したものと同じものについては同一の記号で示してある。
【００７９】
この図６に示す本発明を具備する流通管理システムでは、ある店舗２００でユニークであることが保証される店舗用識別コード１０２が商品１００に付与されることを想定している。
【００８０】
この店舗２００には、コードリーダ２０を備える複数の店頭端末２ａが設置されており、これらの店頭端末２ａはＬＡＮ２３を介して店舗内サーバ２１に接続されている。また、店舗２００の外に設置されている家庭端末２ｂもまた、インターネット４を介して、この店舗内サーバ２１に接続されている。
【００８１】
この店舗内サーバ２１は、交換データ用データベース２２を有して、この交換データ用データベース２２を使って、図７に示すように、店舗用識別コード１０２とその店舗用識別コード１０２の元となった正規の識別コード１０１との対応関係を管理する。
【００８２】
店舗内サーバ２１の管理する対応関係データについては店舗２００を運営する販売者などが登録するものであり、店舗内サーバ２１の備える図示しない登録プログラムは、店舗２００を運営する販売者などから対応関係データの登録要求があると、図８の処理フローに示すように、商品１００に付与される店舗用識別コード１０２と、その店舗用識別コード１０２の元となった正規の識別コード１０１とを受け取って、交換データ用データベース２２に、その受け取った店舗用識別コード１０２とその受け取った正規の識別コード１０１との対応関係を登録するように処理するようになる。
【００８３】
次に、図９に示すタイムチャートに従って、このように構成される流通管理システムで実行される本発明の処理について詳細に説明する。
【００８４】
店頭端末２ａを操作する消費者などは、手元にある商品１００についての個体情報を入手したいと思うときには、店頭端末２ａに対して、商品１００に付与される店舗用識別コード１０２の読み取りを指示し、この指示を受けて、店頭端末２ａは、コードリーダ２０を使って、その商品１００に付与される店舗用識別コード１０２を読み取ることで、その商品１００に付与される店舗用識別コード１０２を入力する（図中に示す（１))。
【００８５】
また、家庭端末２ｂを操作する消費者は、手元にある商品１００についての個体情報を入手したいと思うときには、家庭端末２ｂに対して、商品１００に付与される店舗用識別コード１０２をキー入力し、このキー入力を受けて、家庭端末２ｂは、そのキー入力を受け付けることで、その商品１００に付与される店舗用識別コード１０２を入力する（図中に示す（１))。
【００８６】
ここで、この店舗用識別コード１０２の入力に必要となるプログラムや、これから説明する処理を実行するために必要となるプログラムについては、情報交換サーバ３に用意しておいて、そこから店頭端末２ａや家庭端末２ｂにダウンロードするようにするという構成を採ることが可能であり、このような構成を採ると、店頭端末２ａや家庭端末２ｂは本発明の実現に必要となるプログラムを予め用意しておく必要がなくなる。
【００８７】
店頭端末２ａや家庭端末２ｂは、商品１００に付与される店舗用識別コード１０２を入力すると、続いて、その店舗用識別コード１０２を指定して、店舗内サーバ２１に対して、その店舗用識別コード１０２の元となった正規の識別コード１０１の提供を要求する（図中に示す（２))。
【００８８】
この正規の識別コード１０１の提供要求を受けて、店舗内サーバ２１は、図７に示すようなデータ構造を持つ交換データ用データベース２２を検索することで、店舗用識別コード１０２の元となった正規の識別コード１０１を検索して、それを店頭端末２ａや家庭端末２ｂに提供する（図中に示す（３))。
【００８９】
これから、店頭端末２ａや家庭端末２ｂは、店舗内サーバ２１から、この正規の識別コード１０１を受け取ることで、入力した店舗用識別コード１０２の元となった正規の識別コード１０１を受け取る。
【００９０】
店頭端末２ａや家庭端末２ｂは、店舗内サーバ２１から正規の識別コード１０１を受け取ると、続いて、その正規の識別コード１０１のコード体系を判別する（図中に示す（４))。
【００９１】
すなわち、商品１００に付与される店舗用識別コード１０２の元となった正規の識別コード１０１がＪＡＮコードにより記述されるコードであるとか、Ｕコードにより記述されるコードであるというように、そのコード体系を判別するのである。この判別処理については、その正規の識別コード１０１のコードの長さを判断することにより実行されたり、その正規の識別コード１０１のヘッダ情報を判断することなどにより実行されることになる。
【００９２】
店頭端末２ａや家庭端末２ｂは、入力した店舗用識別コード１０２の元となった正規の識別コード１０１のコード体系を判別すると、続いて、その正規の識別コード１０１とその判別したコード体系とを指定して、情報交換サーバ３に対して、コマンドの提供を要求する（図中に示す（５))。
【００９３】
このコマンドの提供要求を受けて、情報交換サーバ３は、図２に示すようなデータ構造を持つ交換データ用データベース３０を検索することで、指定されるコード体系に属する識別コードの中から指定される識別コード１０１を検索し、それに対応付けられるコマンドを取得して店頭端末２ａや家庭端末２ｂに提供する（図中に示す（６))。
【００９４】
これから、店頭端末２ａや家庭端末２ｂは、情報交換サーバ３から、このコマンドを受け取ることで、入力した店舗用識別コード１０２の元となった正規の識別コード１０１に対応付けられるコマンドを受け取る。
【００９５】
店頭端末２ａや家庭端末２ｂは、入力した店舗用識別コード１０２の元となった正規の識別コード１０１に対応付けられるコマンドを受け取ると、続いて、そのコマンドの指定するＵＲＬを持つ個体情報公開サーバ１に対して、そのコマンドを送信することで、その店舗用識別コード１０２の付与された商品１００についての個体情報の提供を要求する（図中に示す（７))。
【００９６】
この個体情報の提供要求を受けて、その個体情報を管理する個体情報公開サーバ１は、自サーバの備える個体情報用データベース１０を検索することで、送信されてきたコマンドの指定する個体情報を検索して、それを店頭端末２ａや家庭端末２ｂに提供する（図中に示す（８))。
【００９７】
これから、店頭端末２ａや家庭端末２ｂは、個体情報公開サーバ１から、この個体情報を受け取ることで、入力した店舗用識別コード１０２の付与される商品１００についての個体情報を受け取り、それを消費者などに提供する。
【００９８】
ここで、図９に示すタイムチャートでは、店頭端末２ａや家庭端末２ｂの側で、商品１００に付与される店舗用識別コード１０２の元となった正規の識別コード１０１のコード体系の判別を行うようにするという構成を採ったが、図１０に示すタイムチャートのように、情報交換サーバ３の側で、この判別を行うようにするという構成を採ってもよい。
【００９９】
このようにして、図６に示す本発明を具備する流通管理システムでは、あるスーパーとか、そのスーパーのその店舗でのみユニークであることが保証されるような店舗用識別コード１０２が商品１００に付与される場合にも、図１に示す本発明を具備する流通管理システムと同様の効果を実現できるようになる。
【０１００】
図９および図１０に示すタイムチャートでは、店舗内サーバ２１で、店舗用識別コード１０２の元となった正規の識別コード１０１を検索できることを想定したが、商品１００に、店舗用識別コード１０２と、その店舗用識別コード１０２の元となった正規の識別コード１０１との双方が付与されていることがある。
【０１０１】
このような場合、消費者などは、正規の識別コード１０１を店舗用識別コード１０２と誤って入力してくることがある。
【０１０２】
そこで、店頭端末２ａや家庭端末２ｂは、このようなことが起こる可能性があることを考慮して、店舗内サーバ２１から正規の識別コード１０１が提供されない場合には、入力した店舗用識別コード１０２が正規の識別コード１０１である可能性があることを考慮して、その入力した店舗用識別コード１０２を指定して、情報交換サーバ３に対してコマンドの提供を要求し、それに応答して情報交換サーバ３からコマンドが提供されてくる場合には、それを受け取っていくように処理することになる。
【０１０３】
〔３〕第３の実施の形態
図９および図１０に示すタイムチャートでは、店頭端末２ａや家庭端末２ｂは、最初に店舗内サーバ２１に接続して、店舗内サーバ２１から正規の識別コード１０１の提供を受け、続いて情報交換サーバ３に接続して、情報交換サーバ３からコマンドの提供を受けることで、個体情報公開サーバ１から店舗用識別コード１０２の付与される商品１００についての個体情報を取得するという構成を採っているが、店舗内サーバ２１の方に、正規の識別コード１０１を検索した後、それに続けて、情報交換サーバ３に接続して情報交換サーバ３からコマンドの提供を受け、それを店頭端末２ａや家庭端末２ｂに渡すようにするという機能がある場合には、店頭端末２ａや家庭端末２ｂは、店舗内サーバ２１に接続するだけでコマンドの提供を受けることができるようになる。
【０１０４】
図１１に、店舗内サーバ２１がこのような機能を持つ場合のタイムチャートを図示する。
【０１０５】
すなわち、図１１のタイムチャートに示すように、店頭端末２ａや家庭端末２ｂは、商品１００に付与される店舗用識別コード１０２を入力すると（図中に示す（１))、続いて、その店舗用識別コード１０２を指定して、店舗内サーバ２１に対して、その店舗用識別コード１０２の元となった正規の識別コード１０１の指すコマンドの提供を要求する（図中に示す（２))。
【０１０６】
このコマンドの提供要求を受けて、店舗内サーバ２１は、図７に示すようなデータ構造を持つ交換データ用データベース２２を検索することで、店舗用識別コード１０２の元となった正規の識別コード１０１を検索して（図中に示す（３))、その検索した正規の識別コード１０１のコード体系を判別する（図中に示す（４))。
【０１０７】
店舗内サーバ２１は、続いて、その検索した正規の識別コード１０１とその判別したコード体系とを指定して、情報交換サーバ３に対して、コマンドの提供を要求する（図中に示す（５))。
【０１０８】
このコマンドの提供要求を受けて、情報交換サーバ３は、図２に示すようなデータ構造を持つ交換データ用データベース３０を検索することで、指定されるコード体系に属する識別コードの中から指定される識別コード１０１を検索し、それに対応付けられるコマンドを取得して店舗内サーバ２１に提供する（図中に示す（６))。
【０１０９】
このコマンドの提供を受けて、店舗内サーバ２１は、情報交換サーバ３から提供されるコマンドを店頭端末２ａや家庭端末２ｂに受け渡す（図中に示す（７))。
【０１１０】
これから、店頭端末２ａや家庭端末２ｂは、店舗内サーバ２１から、このコマンドを受け取ることで、入力した店舗用識別コード１０２の元となった正規の識別コード１０１に対応付けられるコマンドを受け取る。
【０１１１】
店頭端末２ａや家庭端末２ｂは、入力した店舗用識別コード１０２の元となった正規の識別コード１０１に対応付けられるコマンドを受け取ると、続いて、そのコマンドの指定するＵＲＬを持つ個体情報公開サーバ１に対して、そのコマンドを送信することで、その店舗用識別コード１０２の付与された商品１００についての個体情報の提供を要求する（図中に示す（８))。
【０１１２】
この個体情報の提供要求を受けて、その個体情報を管理する個体情報公開サーバ１は、自サーバの備える個体情報用データベース１０を検索することで、送信されてきたコマンドの指定する個体情報を検索して、それを店頭端末２ａや家庭端末２ｂに提供する（図中に示す（９))。
【０１１３】
これから、店頭端末２ａや家庭端末２ｂは、個体情報公開サーバ１から、この個体情報を受け取ることで、入力した店舗用識別コード１０２の付与される商品１００についての個体情報を受け取り、それを消費者などに提供する。
【０１１４】
ここで、図１１に示すタイムチャートでは、店舗内サーバ２１の側で、商品１００に付与される店舗用識別コード１０２の元となった正規の識別コード１０１のコード体系の判別を行うようにするという構成を採ったが、図１２に示すタイムチャートのように、情報交換サーバ３の側で、この判別を行うようにするという構成を採ってもよい。
【０１１５】
図１１および図１２に示すタイムチャートでは、店舗内サーバ２１で、店舗用識別コード１０２の元となった正規の識別コード１０１を検索できることを想定したが、商品１００に、店舗用識別コード１０２と、その店舗用識別コード１０２の元となった正規の識別コード１０１との双方が付与されていることがある。
【０１１６】
このような場合、消費者などは、正規の識別コード１０１を店舗用識別コード１０２と誤って入力してくることがある。
【０１１７】
そこで、店舗内サーバ２１は、このようなことが起こる可能性があることを考慮して、店頭端末２ａや家庭端末２ｂから指定される店舗用識別コード１０２が交換データ用データベース２２に登録されていないことを判断するときには、その指定される店舗用識別コード１０２が正規の識別コード１０１である可能性があることを考慮して、その指定される店舗用識別コード１０２を指定して、情報交換サーバ３に対してコマンドの提供を要求し、それに応答して情報交換サーバ３からコマンドが提供されてくる場合には、それを店頭端末２ａや家庭端末２ｂに受け渡していくように処理することなる。
【０１１８】
上述しなかったが、個体情報公開サーバ１は、商品１００がどのような流通経路を通って流通してきたのかとか、その流通経路でどのような処理を受けたのかというような個体情報についても提供できるものである。
【０１１９】
すなわち、本発明者らは、特願2002-123292 で、商品１００に貼付されるタグに、その商品１００の識別情報と通信先となるアドレス情報（例えば電子メールアドレス）とを記録する構成を採って、その商品１００が流通基地（冷凍車なども流通基地の一つである）に入荷されるときに、その流通基地に設置される管理装置が、そのタグに記録される通信先アドレスの指す装置に対して、その商品１００の入荷を通知し、また、その商品１００が出荷されるときに、その管理装置が、その通信先アドレスの指す装置に対して、その商品１００の出荷を通知するようにするという構成を採ることで、その通信先アドレスの指す装置において、その商品１００がどのような流通基地を経由して流通してきたのかを知ることができるようにするという発明を開示した。
【０１２０】
さらに、この発明では、この構成を採るときに、その管理装置が、その通信先アドレスの指す装置に対して、流通基地で商品１００に施した処理情報を通知するようにすることで、その通信先アドレスの指す装置において、その商品１００がどのような処理を受けて流通してきたのかを知ることができるようにするということを実現している。
【０１２１】
この発明を使い、商品１００に貼付されるタグに記録する通信先アドレスの指す装置として、その商品１００についての個体情報を提供する個体情報公開サーバ１を記録するようにすれば、本発明と組み合わせることにより、その商品１００がどのような流通経路を通って流通してきたのかとか、その流通経路でどのような処理を受けたのかというような個体情報についても消費者などに提供できるようになる。
【産業上の利用可能性】
【０１２２】
本発明は、市場を流通するありとあらゆる商品についての個体情報を消費者などに提供する場合に利用できるものである。
【図面の簡単な説明】
【０１２３】
【図１】本発明を具備する流通管理システムの一実施形態例である。
【図２】情報交換サーバの備える交換データ用データベースの説明図である。
【図３】情報交換サーバの備える登録プログラムの実行する処理フローである。
【図４】本発明の実行する処理のタイムチャートの一例を示す図である。
【図５】本発明の実行する処理のタイムチャートの他の一例を示す図である。
【図６】本発明を具備する流通管理システムの他の実施形態例である。
【図７】店舗内サーバの備える交換データ用データベースの説明図である。
【図８】店舗内サーバの備える登録プログラムの実行する処理フローである。
【図９】本発明の実行する処理のタイムチャートの一例を示す図である。
【図１０】本発明の実行する処理のタイムチャートの他の一例を示す図である。
【図１１】本発明の実行する処理のタイムチャートの他の一例を示す図である。
【図１２】本発明の実行する処理のタイムチャートの他の一例を示す図である。
【符号の説明】
【０１２４】
１      個体情報公開サーバ
２ａ    店頭端末
２ｂ    家庭端末
３      情報交換サーバ
４      インターネット
１０    個体情報用データベース
２０    コードリーダ
３０    交換データ用データベース
１００  商品
１０１  識別コード
【図１】
2006133832.tif 000003
【図２】
2006133832.tif 000004
【図３】
2006133832.tif 000005
【図４】
2006133832.tif 000006
【図５】
2006133832.tif 000007
【図６】
2006133832.tif 000008
【図７】
2006133832.tif 000009
【図８】
2006133832.tif 000010
【図９】
2006133832.tif 000011
【図１０】
2006133832.tif 000012
【図１１】
2006133832.tif 000013
【図１２】
2006133832.tif 000014